(57)【要約】【解決手段】  この発明は、水平な四角形の窓内に固定されるようにされ、コネクタ１２を有する後方部２６と、バヨネットタイプ嵌合および弾性的に変形可能なビーム６２によって支持された２本のロッキングフィンガー６０によって、前記窓内に位置し、かつ捕捉するための前方ラグ４２、４４を有する前方部２８とを有し、それは前記バヨネットタイプ嵌合の動作の終端で前記窓を貫通するものであって、前記ビーム６２は、後方横方向枝６４と、２本の水平な対向する前方横方向枝７０とを有し、そのそれぞれは、前記後方枝６４の中央部６８から前方および横方向外方に延び、さらにはその前方自由端７４にロッキングフィンガー６０を有することを特徴とするフレームを提案する。
2006517716.tif 000002
【特許請求の範囲】
【請求項１】
接続ブロックを支持する後方部２６と、
窓１８を通り過ぎた後に前記接続ブロック１２内に前方ＡＶから後方ＡＲに長手方向に挿入されるカードＣを受けるための水平スロット５４をほぼ規定する前方部２８とを有し、前記前方部は、
窓１８の側方ノッチ３３、３４におけるラグの後から前方に水平全般的方向における係合による、そして前記窓１８に関するラグ４２、４４の底部上方からの垂直の摺動による、バヨネットタイプ嵌めにおける、前記窓１８、３４内に位置し、捕捉するための前方側方ラグ４２、４４と、
２つのロッキングフィンガー６０であって、水平方向に普通に弾性的に変形可能であるビーム６２によって支持され、前記バヨネット嵌めの間に摺動する端部で、各フィンガー６０の水平下方面８０が、窓１８の下方水平縁３２において支持するように前記窓１８、３２を貫通する２つのロッキングフィンガー６０とを有してなり、
前記ビーム６２は、水平後部横方向枝６４であって、その２つの対向する横方向端６６は前方部２８に接続されたものと、２つの水平対向前部横方向枝７０であって、そのそれぞれは前記後方枝６４の中央部６８から前方および横方向外方に延び、かつその前方自由端７４でロッキングフィンガー６０を支持するものとを有することを特徴とする、
普通に四角形の、その長手が水平に横たわる窓１８を有する垂直パネル１６の後方に固定されるタイプであり、プラスチックをモールドして製造されるタイプである、チップカードまたはスマートカードのための接続ブロック１２を嵌合するためのフレーム１４。
【請求項２】
前記後方枝６４の中央部６８は、それにＶ字形の外形を与えるために、その対向する横方向端に関して前方に長手方向に偏倚していることを特徴とする前記請求項１記載の嵌合フレーム。
【請求項３】
前記ビーム６２の枝６４、７０は、一定の高さであることを特徴とする前記請求項１、２いずれかに記載の嵌合フレーム。
【請求項４】
前記各ロッキングフィンガー６０の前方面７６は、ほぼ、水平軸の円筒の円弧形状における凸面の外形を有することを特徴とする前記請求項１〜３のいずれかに記載の嵌合フレーム。
【請求項５】
前記各ロッキングフィンガー６０の下方水平面８０は、前記嵌合およびロック位置においてパネル１６の後方面１５の面する部分に対して支持する垂直衝止面８２によって垂直に下方に延びていることを特徴とする前記請求項１〜４のいずれかに記載の嵌合フレーム。
【請求項６】
前記各ロッキングフィンガー６０の上方面７８は、カードＣを受けるために水平スロット５４の下方部を構成するように傾斜路の形成に形づくられていることを特徴とする前記請求項１〜５のいずれかに記載の嵌合フレーム。
【請求項７】
前記各横方向の捕捉するラグ４２、４４は、前記カードＣを受けるために水平スロット５４の上方部を構成するように傾斜路の形成に形づくられた下方面５６を有することを特徴とする前記請求項１〜６のいずれかに記載の嵌合フレーム。
【請求項８】
前記フレームの後方部１４は、接続ブロック１２がそのうえに延びる水平な下方プレート２６の形成に形づくられることを特徴とする前記請求項１〜７のいずれかに記載のフレーム。
【請求項９】
前記接続ブロック１２は、嵌合フレーム１４の後方部２６とともに単体としてモールドされることを特徴とする前記請求項１〜８のいずれかに記載のフレーム。
【請求項１０】
前記接続ブロック１２は、嵌合フレーム１４の後方部２６に取付けられた単体であることを特徴とする前記請求項１〜９のいずれかに記載のフレーム。
【発明の詳細な説明】
【技術分野】
【０００１】
この発明は、集積回路カード、さらに共通して呼ばれるチップカードまたはスマートカードのための接続ブロックを嵌合するためのフレームに関する。
【背景技術】
【０００２】
この発明は、より特別には、特許文献１に記述され、図示されているタイプのコネクタを嵌合するためのフレームに関する。このようなタイプの嵌合するフレームは、全体に四角形で、その長手が水平に横たわる切抜きを有する垂直パネルの後方に固定されるようにされている。
【０００３】
この特許文献に記述された多くの例証の実施例によれば、このフレームはプラスチックをモールドすることによって生産され、それは、
−接続ブロックを有する後方部と、
−窓を通過した後に、前方から後方に接続ブロック内に長手方向に挿入されるカードを受けるための水平スロットをある程度規定する前方部とを有し、
この前方部は、
・水平の全方向における係合によってバヨネットタイプ嵌合において、前記窓の側方ノッチにおけるラグの後方から前方に、そしてそれから、垂直の摺動によって、前記窓に関してラグの、底部から上方に、前記窓内に位置し捕捉するための前方側方ラグと、
・２つのロッキングフィンガー、これは水平方向に普通に弾性的に変形可能であるビームによって支持され、前記バヨネット嵌合の間に摺動する端部で、各フィンガーの水平下方面が、前記窓の下方水平縁において支持するように前記窓を貫通する２つのロッキングフィンガーとを有してなる。
【０００４】
嵌合の端部で前記パネルの窓にスナップ嵌めされているバヨネット嵌合およびロッキングフィンガーによって形成されたロッキング手段の力で、前記嵌合フレームは固定され、何らの取付けた固定またはロッキング部材を使用しないで、パネルに固定される。
【特許文献１】欧州特許ＥＰ‐Ａ‐０９８８６１２公報
【発明の開示】
【発明が解決しようとする課題】
【０００５】
ロッキングフィンガーが弾性的に変形可能なビームによって支持されていることによって、容易に取り除かれてしまうことが、あり得る。
【０００６】
この発明の目的は、バヨネットタイプ嵌合およびロッキング手段の動作を改良する目的のために、そのようなタイプのフレームを完全にすることである。
【発明を解決するための手段】
【０００７】
この目的のために、この発明は、前記ビームが、水平の後方横方向枝と、その前方部に接続される２つの対向する横方向端と、２つの対向する水平な前方横方向枝と、そのそれぞれは、後方枝の中央部分から前方および横方向外方に延び、その前方自由端でロッキングフィンガーを有することを特徴とする上述したタイプの嵌合フレームを提供する。
【０００８】
この発明の他の特徴によれば、
−前記後方枝の中央部は、それにＶ字形の外形を与えるためにその対向する横方向端に関して長手方向前方に偏倚している。
【０００９】
−このビームの枝は、一定の高さである。
【００１０】
−前記各ロッキングフィンガーの前方面は、ほぼ、水平軸の円筒の円弧形状における凸面の外形を有する。
【００１１】
−各ロッキングフィンガーの下方水平面は、前記嵌合およびロック位置においてパネルの後方面の面する部分に対して支持する垂直衝止面によって垂直に下方に延びている。
【００１２】
−各ロッキングフィンガーの上方面は、カードを受けるために水平スロットの下方部を構成するように傾斜路の形成に形づくられている。
【００１３】
−各横方向の捕捉するラグは、前記カードを受けるために水平スロットの上方部を構成するように傾斜路の形成に形づくられた下方面を有する。
【００１４】
−フレームの後方部は、接続ブロックがそのうえに延びる水平な下方プレートの形成に形づくられる。
【００１５】
−接続ブロックは、嵌合フレームの後方部とともに単体としてモールドされる。
【００１６】
−接続ブロックは、嵌合フレームの後方部に取付けられた単体である。
【００１７】
この発明のその他の特徴や利点は、以下に続く詳細な説明を読むことによって明らかとなる。
【発明を実施するための最良の形態】
【００１８】
以下に続く説明において、同一、同等、または類似の要素は、同一の参照符号によって表示される。
【００１９】
その説明および請求項を理解することをより容易にするために、図において示されたＬ、Ｔ、Ｖ座標システム、および表示されるように前方ＡＶおよび後方ＡＲ方位に関して、水平、垂直、下方、上方、長手、横方軸等の用語を、限定しない方法で、使用するものである。
【００２０】
図は、スマートカードタイプのカードＣを接続するための組立１０を示しており、それは実質的に、上方部分における、接続ブロック１２と、下方部分における、この目的のために嵌合する窓または切抜き部１８を有するパネル１６に組立１０を嵌合して固定するための、嵌合フレーム１４とからなる。
【００２１】
公知の方法において、接続ブロックを構成する上方部１２は、プラスチックからモールドされた四角形のプレートの全体形状を有する部分であり、そのプレート内には接点ブレード２０があり、この場合の数は８個であり、それは、後者（カード）が接続ブロック内に位置するときにカードＣの下方面２２に置かれる伝導パッド（図示せず）と協働するように設計される。
【００２２】
このカードＣを、方向Ｉに沿って前から後へ接続ブロック１２内に案内するために、後者（ブロック）は、その前方部において、水平方向であって、カードＣの寸法とほぼ補完的な寸法の案内する挿入スロット２４を有する。
【００２３】
実際の嵌合するフレームを構成する下方部１４は、ほぼ、接続ブロック１２がその上に延びる水平プレートの一般的な形状の後方部２６と、パネル１６の窓１８における組立１０を嵌合してロックするための手段を有する前方端部２８とよりなる。
【００２４】
嵌合するフレーム１４、２６、２８および接続ブロック１２の絶縁本体は、図に例証された実施例におけるように、弾性的に結合することによって、または、好ましくはプラスチックでできた単一片としてモールドすることによって製造されて、別々に製造された２つの部分に作られ、そして相互に取付けられることができる。
【００２５】
垂直パネル１６に形成された窓または切抜き１８は、公知の、かつ標準化された方法で、四角形の普通の形の窓の形状につくられ、それは上方３０および下方３２の水平縁と、対向する垂直端縁３３とによって境を接している。
【００２６】
バヨネットタイプの嵌合を可能にするために、窓１８は、その下方部にその垂直縁３３から横方向外方に延びる２つの対向するノッチ３４を有する。
【００２７】
窓１８におけるフレーム１４と嵌合してロックするための前方部２８は、ここで詳細に説明される。
【００２８】
公知のように、前方部２８は、後方下方プレート２６の前方横方向端面３８から長手方向前方に延びる２つの側方の直立部３６を有する。
【００２９】
直立部３６の高さ３６は、前方部の全体的な高さを規定する。
【００３０】
各直立部３６は、パネル１６の面する後方垂直面１５に対して支持するように設計される前方横方向端面４０によって前方に対して境を接している。
【００３１】
その前方横方向端面４０を越えて、各直立部３６は、前方側方の捕捉しロッキングするラグ４２を有しており、このラグの外形と寸法は、その２つのラグ４２が窓１８の外形と補完的であるようなものであり、そのそれぞれのロッキングタブ４４をもって、窓１８内に後方前方からの長手方向への挿入の間に、ノッチ３４内に受入れられるものである。
【００３２】
各ラグ３２は、スロット、または溝４８を規定するために直立部３６の前方面４０に対向して延びる垂直後方面４６によって後方に対して横方向に境を接しており、その中に窓１８の上方水平縁３０が受入れられ、垂直スロット５０を規定するために、その中に窓１８の垂直縁３３が受入れられる。
【００３３】
フレーム１４が窓１８内に嵌合され、ロックされる位置において、上方水平縁３０は、スロット４８の底部５２において垂直下方に当接する。
【００３４】
図３において分かるように、嵌合するフレーム１４が、パネル１６に嵌合され、ロックされる位置において、前方部２８は外方にある程度長手方向に、すなわちパネル１６の前方横方向面１７を越えて、延びている。
【００３５】
接続ブロック１２に受入れられるように窓１８を通過するカードＣの挿入を容易にするために、前方部２８は、少なくとも部分的に、カードＣを受けるための水平スロット５４を規定しており、このスロットは、通常、接続ブロック１２内のカードの挿入のためのスロット２４と整列している。
【００３６】
この目的のために、各ラグ４２の下方面５６は、傾斜した傾斜路の形状に形づくられている。
【００３７】
バヨネットタイプ嵌めは、ラグ４２、４４が後方前方長手方向に、窓１８内に水平方向に、面４０がパネル１６の後方面１５の面する部分に対して支持するまで挿入された後、上方縁３０がスロット、または溝４８の底部５２に対して当接するまで、垂直に上方に組立１０を摺動することによって、完成される。
【００３８】
組立１０、したがって嵌合するフレーム１４の偶発的な接続離脱を避けるために、後者（フレーム）の前方部２８は、フレーム１４の対称の垂直中間面ＰＶに関して対称的に横方向に離間される２つのロッキングフィンガー６０を有する。
【００３９】
このロッキングフィンガー６０は、上からまたは下から見るように、ほぼＸの形状である弾性的に変形可能なビーム６２によって支持される。
【００４０】
この目的のために、ビーム６２は、開放Ｖの形状に後方横方向枝６４によって形成され、その対向する横方向端部６６は、直立部３６の後方でフレーム１４、２６に接続される。
【００４１】
このように、後方水平枝６５の中央部６８は、それはまたＸの中心であるが、前記Ｖの頂部を構成するために、端部６６に関して長手方向前方に偏倚している。
【００４２】
後方枝６４の中央部６８を越えて、ビーム６２は、２つの横方向の前方水平枝７０を有する。
【００４３】
各枝７０は、それによって中央部６８に接続される中央横方向端７２と、ロッキングフィンガー６０を支持する自由横方向端７４とを有する。
【００４４】
このように各ロッキングフィンガー６０は、中央領域２８に関して軸支することによって曲げることができる弾性的に変形可能な枝７０によって支持されており、前方枝７０によって支持された２つのフィンガー６０によって形成された組立は、それ自身、後方枝６６によって支持されており、その後方枝６６自身は、中央部６８の長手方向後方への移動において、全体として結果する方向に弾性的変形によって曲げることができる。
【００４５】
さらに、ビーム６２の形状は、また、垂直平面ＰＶ内に実質的にある中央水平軸の周りの各フィンガー６０の補完的な軸支運動が可能である。
【００４６】
この発明の１つの特徴によれば、各ロッキングフィンガー６０は、２つの上方面７８が、底部に向かってカードＣを受けるためのスロット５４を規定するように傾斜した傾斜路の形状において、上方面７８を有する水平軸の円筒の円弧形状に、前方面７６によって、境を接している。
【００４７】
凸面の丸形の外形７６は、フレーム１４が嵌合しロックされる位置に、窓１８の下方水平縁３２に対して垂直に下方に当接する実際のロッキング面である水平の下部面８０によって延びる。
【００４８】
最後に、各ロッキングフィンガー６０は、垂直下方に、フレーム１４のために垂直平面を構成して、パネル１６の後方横方向面１５に対して支持するように、直立部３６の前方横方向面４０とほぼ共面である垂直の横方向面８２によって垂直に下方に延びている。
【００４９】
ロッキングフィンガー６０の凸面の円筒状外形７６は、下方縁３２と協働することによって、窓１８にフィンガー６０の最終のスナップ締めを容易にする。
【００５０】
フィンガー６０が、ビーム６２の前方枝７０の対向する横方向自由端７４に置かれる事実は、また、パネル１６の後方面１５における力の分配が完全にバランスしていることを確実にする。
【図面の簡単な説明】
【００５１】
【図１】この発明による嵌合するフレームの下方からの斜視図。
【図２】図１の嵌合するフレームを受ける窓を有するパネルの一部を示す概略図。
【図３】前記接続ブロック内に位置するスマートカードを含んで、図１の嵌合するフレームの下方からの図。
【図４】前記接続ブロックを有する嵌合するフレームの拡大した、下方からの図。
【図５】図４の５−５線に沿う断面図。
【図６】図４の矢印Ｆ６の方向に沿う嵌合するフレームの前方軸端の図。
【図１】
2006517716.tif 000003
【図２】
2006517716.tif 000004
【図３】
2006517716.tif 000005
【図４】
2006517716.tif 000006
【図５】
2006517716.tif 000007
【図６】
2006517716.tif 000008
【国際調査報告】
2006517716.tif 000009
2006517716.tif 000010